(57)【要約】【課題】利用者の操作負担を軽減させる。【解決手段】携帯電話端末は、コンテンツを入力するコンテンツ入力部と、コンテンツから、固有表現を抽出する固有表現抽出部と、抽出された固有表現と、コンテンツに含まれる他の固有表現又はキーワードとの間の関連性の高さを示す関連度を算出する関連度算出部と、固有表現と、他の固有表現又はキーワードと、関連度と、を対応付けて記憶する関連付情報記憶部と、他の固有表現又はキーワードを表示装置に表示すると共に、当該他の固有表現又はキーワードと対応付けられた固有表現を、関連度が高い順に選択候補としてディスプレイに表示するメニュー表示部と、を備える。【選択図】        図１
2009075733.tif 000002
【特許請求の範囲】
【請求項１】
文書データを入力処理する入力部と、
前記文書データから、特定の物または情報を示す固有表現を抽出する抽出部と、
前記固有表現と、前記文書データに含まれる所定の文字列との間の関連性の高さを示す関連度を算出する関連度算出部と、
前記固有表現と、前記文字列と、前記関連度と、を対応付けて記憶する関連付情報記憶部と、
前記文字列を表示装置に表示すると共に、当該文字列と対応付けられた前記固有表現を、前記関連度が高い順に選択候補として表示装置に表示する候補表示部と、
を備えることを特徴とする候補表示装置。
【請求項２】
前記選択候補の選択を受け付ける選択受付部と、
受け付けた前記選択候補と、前記文字列との間の前記関連度を更新する更新部と、
をさらに備えることを特徴とする請求項１に記載の候補表示装置。
【請求項３】
前記候補表示装置が提供しているアプリケーションで使用される格納情報を記憶する格納情報記憶部をさらに備え、
前記関連度算出部は、さらに、抽出された前記固有表現と、前記格納情報に含まれる文字列との間の関連性の高さを示す関連度を算出すること、
を特徴とする請求項１又は２に記載の候補表示装置。
【請求項４】
前記文書データから、前記固有表現に対する関心の度合いが現れた印象表現を抽出する印象表現抽出部をさらに備え、
前記関連度算出部は、前記関連度を、前記印象表現に基づいて算出すること、
を特徴とする請求項１乃至３に記載の候補表示装置。
【請求項５】
前記文書データから、当該固有表現の属性を表す関係表現を抽出する関係表現抽出部をさらに備え、
前記関係付情報記憶部は、さらに前記文書データから抽出された前記固有表現と、前記関係表現が表す属性とを、関連付けて記憶すると共に、利用者の属性情報を記憶し、
前記候補表示部は、さらに、利用者の属性と関連付けられた前記固有表現を、選択候補として表示装置に表示すること、
を特徴とする請求項１乃至４に記載の候補表示装置。
【請求項６】
前記関連度算出部は、抽出された前記固有表現と前記文字列と間の前記関連度を、当該固有表現の頻出度及び当該固有表現の種別に応じて異なるバイアス値のうちいずれか一つ以上を用いて算出すること、
を特徴とする請求項１乃至５に記載の候補表示装置。
【請求項７】
文書データを入力処理する入力ステップと、
前記文書データから、特定の物または情報を示す固有表現を抽出する抽出ステップと、
前記固有表現と、前記文書データに含まれる所定の文字列との間の関連性の高さを示す関連度を算出する関連度算出ステップと、
前記固有表現と、前記文字列と、前記関連度と、を対応付けて関連付情報記憶部に記憶する関連付情報記憶ステップと、
前記文字列を表示装置に表示すると共に、当該文字列と対応付けられた前記固有表現を、前記関連度が高い順に選択候補として表示装置に表示する候補表示ステップと、
を有することを特徴とする候補表示方法。
【発明の詳細な説明】
【技術分野】
【０００１】
この発明は、選択候補を表示する候補表示装置及び方法に関するものである。
【背景技術】
【０００２】
従来から、携帯電話の用途は音声通話に留まらず、電子メールの送受信や携帯電話向けサイトの閲覧にも利用されることが多い。
【０００３】
近年、技術革新に伴う性能向上によって、携帯電話は、Ｗｅｂブラウザが搭載されている機種も多くなっている。これにより、携帯電話は、ＰＣ（Personal  Computer）やＰＤＡ（Personal  Digital  Assistance）に類する高機能な情報端末としての役割を担う傾向にある。
【０００４】
さらに、携帯電話端末に限らず、ネットワークに接続して情報を取得する装置は多くなりつつある。これら様々な装置が情報端末として使用されるようになった以上、いずれの装置の入力インターフェースであっても、膨大な情報から所望する情報を簡単に検索でき、目的の情報に容易にたどり着くことが要求される。
【０００５】
ところで、目的のサイトや情報にたどり着く手法としては、大きく分けて次の二つの手法が提案されている。一つは、コンテンツサービスで用意されている階層メニューをたどることで、目的のサイトを探すディレクトリ型の探索手法である。もう一つは、文書中などに設定されているリンク付きキーワードを順次選択することで、目的の情報にアクセスする手法である。
【０００６】
さらに、利用者が参照したい情報を提示する手法としては、様々な技術が提案されている。例えば、特許文献１には、利用者が入力した候補を補完した上で、関連する項目を提示する技術が提案されている。
【０００７】
【特許文献１】特開２００５−６３２４５号公報
【発明の開示】
【発明が解決しようとする課題】
【０００８】
しかしながら、特許文献１の従来技術は、関連する情報間を予め対応付けて記憶手段に格納しておく必要がある。この情報は利用者毎に最適化された情報ではない。このため、利用者に適した情報が表示されるまで、従来通りに操作を行う必要があるという問題がある。
【０００９】
本発明は、上記に鑑みてなされたものであって、利用者の操作負担を軽減させることが可能な候補表示装置及び方法を提供することを目的とする。
【課題を解決するための手段】
【００１０】
上述した課題を解決し、目的を達成するために、本発明にかかる候補表示装置は、文書データを入力処理する入力部と、前記文書データから、特定の物または情報を示す固有表現を抽出する抽出部と、前記固有表現と、前記文書データに含まれる所定の文字列との間の関連性の高さを示す関連度を算出する関連度算出部と、前記固有表現と、前記文字列と、前記関連度と、を対応付けて記憶する関連付情報記憶部と、前記文字列を表示装置に表示すると共に、当該文字列と対応付けられた前記固有表現を、前記関連度が高い順に選択候補として表示装置に表示する候補表示部と、を備えることを特徴とする。
【００１１】
また、本発明にかかる候補表示方法は、文書データを入力処理する入力ステップと、前記文書データから、特定の物または情報を示す固有表現を抽出する抽出ステップと、前記固有表現と、前記文書データに含まれる所定の文字列との間の関連性の高さを示す関連度を算出する関連度算出ステップと、前記固有表現と、前記文字列と、前記関連度と、を対応付けて関連付情報記憶部に記憶する関連付情報記憶ステップと、前記文字列を表示装置に表示すると共に、当該文字列と対応付けられた前記固有表現を、前記関連度が高い順に選択候補として表示装置に表示する候補表示ステップと、を有することを特徴とする。
【発明の効果】
【００１２】
本発明によれば、利用者に対して適切な選択候補を表示することで、操作負担を軽減させることができるという効果がある。
【発明を実施するための最良の形態】
【００１３】
以下に添付図面を参照して、この発明にかかる候補表示装置及び方法の最良な実施の形態を詳細に説明する。以下に示す実施の形態では、候補表示装置を携帯電話端末に適用した例について説明する。なお、候補表示装置は、情報の検索に利用する情報処理装置であれば良く、例えばＰＣ又はＰＤＡなどに適用しても良い。
【００１４】
（第１の実施の形態）
図１に示すように、携帯電話端末１００は、電話帳登録情報記憶部１０１と、文字列入力履歴記憶部１０２と、お気に入りＵＲＬ記憶部１０３と、ＧＰＳエリア情報記憶部１０４と、固有表現抽出ルール記憶部１０５と、印象表現辞書１０６と、関係表現辞書１０７と、関連付情報記憶部１０８と、通信処理部１０９と、コンテンツ入力部１１０と、コンテンツ表示部１１１と、時刻計測部１１２と、アプリケーション格納情報取得部１１３と、形態素解析部１１４と、固有表現抽出部１１５と、印象表現抽出部１１６と、関係表現抽出部１１７と、関連度算出部１１８と、更新・登録部１１９と、外部サイト情報受渡部１２０と、メニュー生成部１２１と、表示部１２５と、ユーザ入力受付部１２３と、を備える。
【００１５】
携帯電話端末１００が表示するコンテンツとしては、送受信したメールや、外部ネットワークで公開されているサイトの情報等とし、利用者が閲覧可能な文書データであればよい。
【００１６】
そして、携帯電話端末１００では、利用者が入力や参照した情報間の関連度を算出する。そして、利用者が携帯電話端末１００で任意の情報を検索する際に、当該関連度が高い選択候補を優先的に表示する。
【００１７】
電話帳登録情報記憶部１０１は、当該携帯電話端末１００で電話を掛ける際に利用する電話帳情報を記憶する。電話帳情報は、相手先のＩＤ、名前、ニックネーム、電話番号、メールアドレス、及び当該携帯電話端末１００を所有する利用者との関係、ダイアル履歴など、様々なパーソナルデータを記憶している。
【００１８】
文字列入力履歴記憶部１０２は、利用者が携帯電話端末１００からメールや文書を作成する際にかな漢字変換や入力予測での確定履歴を記憶する。また、文字列入力履歴記憶部１０２は、さらに、かな漢字変換や入力予測で入力された文字列が、いずれのアプリケーション又はサービス利用時であるのかを記憶する。さらに、文字列入力履歴記憶部１０２は、これら文字列が特定のフォームに対して入力されていれば、当該フォームに対して入力された文書も記憶する。
【００１９】
お気に入りＵＲＬ記憶部１０３は、携帯電話端末１００から参照したサイト情報のうち、利用者がお気に入りとして選択したサイトのＵＲＬ、及び当該サイトの名称、ページタイトルなどを記憶する。
【００２０】
ＧＰＳエリア情報記憶部１０４は、携帯電話端末１００の図示しないＧＰＳによるナビゲートに使用される地図情報を記憶する。また、ＧＰＳエリア情報記憶部１０４は、利用者が文字列や電話を行った位置情報などを記憶しても良い。これにより、携帯電話端末１００は、利用者が入力した文字列や電話を行った相手と、地図情報上の場所と、の関連度を算出することもできる。
【００２１】
なお、これら電話帳登録情報記憶部１０１、文字列入力履歴記憶部１０２、お気に入りＵＲＬ記憶部１０３及びＧＰＳエリア情報記憶部１０４は、これら記憶部に格納されている固有表現などの文字列と、携帯電話端末１００が表示するコンテンツに含まれている固有表現等との間の関連度を算出するために使用される。
【００２２】
固有表現とは、特定の物または情報に与えられた文字列を示し、人名、地名などの固有名詞の他に、未知語や、日付、金額などの数値表現などを含むものとする。
【００２３】
固有表現抽出ルール記憶部１０５は、形態素解析結果から固有表現を抽出するための抽出ルールを格納している。この抽出ルールは、周知のルール等を用いることとして説明を省略する。
【００２４】
印象表現辞書１０６は、抽出された固有表現に対して利用者が抱いている印象や評価を判断するための基準となる印象表現を格納する辞書とする。図２に示すように、印象表現は、嗜好表現や割合表現を含むものとする。嗜好表現は、利用者が固有表現に対して抱いている印象が良いものであるのか否かの判断基準となる表現をいう。割合表現は、利用者が固有表現に対する印象の大きさの判断基準となる表現をいう。例えば、メール内に「すき」、「ウマイ」、「いい」、「このみ」、「おいしい」、「うける」、「くせになる」などの関係表現が含まれている場合、当該関係表現周辺の固有表現が、好印象であると判断できる。
【００２５】
関係表現辞書１０７は、固有表現を、他の固有表現等と関連付ける基準となるための表現を格納する。図３に示すように、関係表現辞書１０７は、固有表現に対して関連付けるための所属、性別、年代、親密度の判断基準となる表現を保持する。例えば、メール内に「年休」、「直帰」、「会議」、「課長」などの関係表現が含まれている場合、当該関係表現周辺の固有表現に対して、「社会人」が関連付けられる。
【００２６】
関連付情報記憶部１０８は、携帯電話端末１００において関連付けされた固有表現を、他の固有表現を含む文字列と、他の固有表現を含む文字列との関連度とを対応付けて記憶する。また、関連付情報記憶部１０８は、固有表現などの文字列に対して割り当てられた属性も、当該固有表現と対応付けて記憶する。また、格納手法については、これら対応関係を保持できるのであれば、いずれの手法を用いても良い。なお、詳細については、後述する。
【００２７】
また、関連付情報記憶部１０８は、利用者の属性情報も記憶する。利用者の属性情報としては、年齢、性別、所属、生活圏（地名）、良く行くスポットなどとする。
【００２８】
上述した辞書及び記憶部は、ＨＤＤ（Ｈａｒｄ  Ｄｉｓｋ  Ｄｒｉｖｅ）を使用するものとするが、他に光ディスク、メモリカード、ＲＡＭ（Ｒａｎｄｏｍ  Ａｃｃｅｓｓ  Ｍｅｍｏｒｙ）などの一般的に利用されているあらゆる記憶手段により構成することができる。
【００２９】
通信処理部１０９は、ネットワークを介して外部のサーバ等と接続し、当該サーバ等との間で情報の送受信を行う。
【００３０】
コンテンツ入力部１１０は、利用者に対して表示するコンテンツの入力処理を行う。入力するコンテンツの例としては、通信処理部１０９を介して外部のサーバ等から取得したＷｅｂページや、送受信したメール等が考えられる。
【００３１】
コンテンツ表示部１１１は、入力されたコンテンツを表示する。コンテンツ表示部１１１は、表示したコンテンツを、アプリケーション格納情報取得部１１３及び形態素解析部１１４に出力する。時刻計測部１１２は、現在時刻を計測する。
【００３２】
アプリケーション格納情報取得部１１３は、コンテンツ表示部１１１が表示したコンテンツに関連する情報を、時刻計測部１１２が計測している現在時刻、電話帳登録情報記憶部１０１、文字列入力履歴記憶部１０２、お気に入りＵＲＬ記憶部１０３、ＧＰＳエリア情報記憶部１０４から取得する。この取得した情報をアプリケーション格納情報とする。これにより、アプリケーション格納情報として、コンテンツの提供元情報や、サービス内容、タイトル、閲覧時刻などの情報を取得することができる。
【００３３】
形態素解析部１１４は、表示されたコンテンツ及びアプリケーション格納情報に対して、形態素解析を行う。例えばコンテンツがメールの場合、形態素解析部１１４は、図４に示すように入力履歴に格納されている各メールに対して形態素解析を行うことで、形態素解析結果を得ることができる。
【００３４】
固有表現抽出部１１５は、形態素解析結果に対して、固有表現抽出ルール記憶部１０５に格納されている抽出ルールを参照して、固有表現抽出技術を利用することで、未知語を含む固有表現の抽出を行う。さらに、固有表現抽出部１１５は、可能な限り固有表現の意味の特定も行う。例えば、図４に示す形態素解析結果から、抽出された固有表現「川崎」、「五反田」及び「下北沢」を地名と特定する。さらに、固有表現抽出部１１５は、「バス」を交通手段と特定し、「来週」を時間表現と特定する。
【００３５】
印象表現抽出部１１６は、印象表現辞書１０６を参照して、コンテンツ及びアプリケーション格納情報から印象表現を抽出し、固有表現抽出部１１５で抽出された固有表現に対して、関連付ける。これにより抽出された固有表現に対して、利用者が抱いている印象や評価を付与することができる。このように関連付けられた印象表現は、他の固有表現等の文字列との間の、関連度の算出に用いられる。
【００３６】
関係表現抽出部１１７は、関係表現辞書１０７を参照して、コンテンツ及びアプリケーション格納情報から関係表現を抽出し、固有表現抽出部１１５で抽出された固有表現に対して、抽出された関係表現が表す属性を割り当てる。なお、関係表現と、当該関係表現に対応する属性の例については後述する。
【００３７】
関連度算出部１１８は、抽出された固有表現、印象表現と、関連付情報記憶部１０８に記憶されている各情報（他の固有表現などの文字列）とを用いて、固有表現と、他の固有表現などの文字列と、の間を関連付ける。関連付ける手法については後述する。そして、関連度算出部１１８は、関連付けされた固有表現と、他の固有表現などの文字列と、の間の重み付け（関連度）を算出する。なお、重み付けの算出手法については、後述する。
【００３８】
関連度は、固有表現と、他の固有表現やキーワードとの間の関連性が高いほど、高い値になる変数をいう。
【００３９】
更新・登録部１１９は、関連度算出部１１８で関連付けられた固有表現等が、関連付情報記憶部１０８に記憶されていない場合に、当該固有表現を他の固有表現等との関連度と共に登録する。また、更新・登録部１１９は、関連度算出部１１８で関連付けられた固有表現等が、関連付情報記憶部１０８に記憶されている場合、算出された関連度の加算等で、当該関連付情報記憶部１０８を更新する。これにより、利用者が参照したコンテンツ内の固有表現が、他の固有表現等の文字列との関係と共に格納されたことになる。さらには、利用者の最新のコンテンツ参照結果が格納されたことになる。
【００４０】
また、更新・登録部１１９は、固有表現に対して属性（関係表現）が割り当てられている場合に、当該固有表現と、当該属性とを対応付けて、関連付情報記憶部１０８に登録する。
【００４１】
メニュー生成部１２１は、利用者が選択可能な選択候補を含むメニュー画面を生成する。また、このメニュー画面の選択候補には、関連付情報記憶部１０８に格納された固有表現等が含まれているものとする。そして、これら選択候補は、当該選択候補として表示される固有表現のうち、関連度が高い順に配置されるものとする。なお、詳細な画面例等については後述する。
【００４２】
表示部１２５は、メニュー表示部１２２を備え、携帯電話端末１００に備えられたディスプレイ（表示装置）に、情報を表示する。
【００４３】
メニュー表示部１２２は、ディスプレイ（表示装置）に、生成されたメニュー画面を表示する。また、メニュー表示部１２２は、ディスプレイに、固有表現などの文字列がタイトルとして示されたメニュー画面に、当該文字列と関連付けられた、固有表現などの文字列を、関連度が高い順に選択候補として表示する。
【００４４】
また、メニュー表示部１２２は、表示する選択候補となる文字列の属性が、利用者の属性と一致する場合に、当該選択候補に対して装飾を施してディスプレイ（表示装置）に表示する。
【００４５】
ユーザ入力受付部１２３は、候補選択受付部１２４を備え、携帯電話端末１００が備える図示しない入力デバイスを介して、利用者から入力を受け付ける。
【００４６】
候補選択受付部１２４は、メニュー画面に表示される選択候補の選択を受け付ける。その後、更新・登録部１１９は、選択を受け付けた選択候補が表す固有表現に関する関連度の更新などを行う。
【００４７】
外部サイト情報受渡部１２０は、通信処理部１０９を介して、利用者により選択された選択候補をキーワードとして設定するほか、検索に用いられるキーワードを追加して、外部サイトに対して情報を受け渡す。これにより検索エンジンにおいて適切なキーワードで検索を行うことができる。
【００４８】
次に、携帯電話端末１００において、表示したコンテンツに関する情報を関連付情報記憶部１０８に格納するまでの処理手順について、図５を用いて説明する。
【００４９】
まず、コンテンツ入力部１１０は、通信処理部１０９を介して、外部ネットワークからコンテンツを入力する（ステップＳ５０１）。
【００５０】
次に、コンテンツ表示部１１１が、入力されたコンテンツを利用者に対して表示する（ステップＳ５０２）。
【００５１】
そして、コンテンツ入力部１１０は、必要に応じて表示したコンテンツの全情報を、通信処理部１０９から取得する（ステップＳ５０３）。例えば、コンテンツの取得先のサイトでコメントなどが省略されていた場合に、省略されているコメント等を取得する。
【００５２】
次に、アプリケーション格納情報取得部１１３は、コンテンツ表示部１１１が表示したコンテンツに関連する情報を、時刻計測部１１２が計測している現在時刻、電話帳登録情報記憶部１０１、文字列入力履歴記憶部１０２、お気に入りＵＲＬ記憶部１０３、ＧＰＳエリア情報記憶部１０４から取得する（ステップＳ５０４）。この取得した情報は、携帯電話端末１００に格納されていたアプリケーション格納情報とする。
【００５３】
そして、形態素解析部１１４は、取得したコンテンツおよびアプリケーション格納情報に対して形態素解析を行う（ステップＳ５０５）。
【００５４】
次に、固有表現抽出部１１５は、固有表現抽出ルール記憶部１０５を用いて、形態素解析結果から固有表現を抽出する（ステップＳ５０６）。また、固有表現抽出部１１５は、形態素解析結果から、関連付ける対象となる文字列（名詞等）を抽出する。この文字列としては、例えば「カレー」、「バス」などが考えられる。
【００５５】
そして、印象表現抽出部１１６は、固有表現を抽出したコンテンツおよびアプリケーション格納情報から、印象表現を抽出する（ステップＳ５０７）。
【００５６】
次に、関係表現抽出部１１７は、固有表現を抽出したコンテンツおよびアプリケーション格納情報から、関係表現を抽出する（ステップＳ５０８）。
【００５７】
次に、関連度算出部１１８は、抽出された各固有表現に対して、抽出した印象表現、関係表現に基づいて、他の固有表現などの文字列との間の関連度を算出する（ステップＳ５０９）。
【００５８】
次に、更新・登録部１１９は、関連度算出部１１８で関連付けられた固有表現等が、関連付情報記憶部１０８に記憶されていない場合に、当該固有表現を他の固有表現等との関連度と共に登録する。また、更新・登録部１１９は、関連度算出部１１８で関連付けられた固有表現等が、関連付情報記憶部１０８に記憶されている場合に、算出された関連度を用いて当該関連付情報記憶部１０８を更新する（ステップＳ５１０）。
【００５９】
上述した処理手順により、利用者が参照したコンテンツから抽出された情報が関連付情報記憶部１０８に格納されることになる。次に、図５のステップＳ５０７の印象表現の抽出手順について、図６を用いて説明する。
【００６０】
まず、印象表現抽出部１１６は、固有表現抽出部１１５から、固有表現抽出済みのコンテンツおよびアプリケーション格納情報を取得する（ステップＳ６０１）。
【００６１】
次に、印象表現抽出部１１６は、印象表現辞書１０６を用いて、固有表現抽出済みのコンテンツおよびアプリケーション格納情報から、印象表現を抽出する（ステップＳ６０２）。抽出手法としては、印象表現辞書１０６に格納されている印象表現とのパターンマッチなどが考えられる。
【００６２】
そして、印象表現抽出部１１６は、当該印象表現の抽出頻度を取得する（ステップＳ６０３）。そして、パターンマッチの結果、および抽出頻度は、抽出先のコンテンツおよびアプリケーション格納情報と共に保持する。
【００６３】
抽出された印象表現について説明すると、例えば、図４のメール入力履歴から抽出された印象表現が「おいしい」であれば、印象表現辞書１０６で定義された嗜好表現の「Positive」に相当していることが確認できる。また、印象表現が「めっちゃ」であれば、印象表現辞書１０６で定義された割合表現の「大」に相当していることが確認できる。これら印象表現は、抽出先のコンテンツおよびアプリケーション格納情報内の位置が特定できるように保持される。
【００６４】
次に、印象表現抽出部１１６は、印象表現毎に、当該印象表現の抽出箇所周辺の固有表現等の文字列と対応付ける（ステップＳ６０４）。この対応付けるか否かの判断は、例えば、文字列の距離に応じて判断するなどが考えられる。
【００６５】
図４のメール入力履歴の例では、抽出された印象表現は、当該印象表現の周辺に出現している、未知語を含む固有表現などの文字列である「マジックハーブ」「下北沢」「こないだ」と対応付けられる。さらに、抽出された印象表現は、当該印象表現の抽出頻度、解析対象となったメールの本文、ＩＤ、当該メールの宛先であると仮定する「佐藤」氏の情報を共に格納される。
【００６６】
次に、図５のステップＳ５０８の関係表現の抽出手順について、図７を用いて説明する。
【００６７】
まず、関係表現抽出部１１７は、固有表現抽出部１１５から、固有表現抽出済みのコンテンツおよびアプリケーション格納情報を取得する（ステップＳ７０１）。
【００６８】
次に、関係表現抽出部１１７は、関係表現辞書１０７を用いて、固有表現抽出済みのコンテンツおよびアプリケーション格納情報から、関係表現を抽出する（ステップＳ７０２）。抽出手法としては、関係表現辞書１０７に格納されている関係表現とのパターンマッチなどが考えられる。
【００６９】
そして、関係表現抽出部１１７は、当該関係表現の抽出頻度を取得する（ステップＳ７０３）。そして、パターンマッチの結果、および抽出頻度は、抽出先のコンテンツおよびアプリケーション格納情報と共に保持する。
【００７０】
次に、関係表現抽出部１１７は、関係表現毎に、当該関係表現の抽出箇所周辺の固有表現等の文字列に対して、当該関係表現に対応する属性を割り当てる（ステップＳ７０４）。この割り当てるか否かの判断は、例えば、文字列の距離に応じて判断するなどが考えられる。次に関係表現に対応する属性について説明する。
【００７１】
例えば、図３に示す関係表現辞書１０７を適用した場合、関係表現抽出部１１７は、コンテンツおよびアプリケーション格納情報から、関係表現「年休」「直帰」「会議」を抽出した場合、「所属」関係において対応する属性として「社会人」を特定する。関係表現抽出部１１７は、コンテンツおよびアプリケーション格納情報から、関係表現「ゼミ」や「サークル」などを抽出した場合、対応する属性として「大学生」を特定する。その他、関係表現「宿題」「放課後」を抽出した場合、対応する属性として「高校生」を特定する。
【００７２】
また、関係表現抽出部１１７は、「所属」以外の関係についても抽出を行う。「所属」以外としては、図３に示すように「性別」、「年代」及び「親密度」がある。これらについても上述した「所属」の場合と同様に、抽出された関係表現から対応する属性を特定する。
【００７３】
例えば、「バイト」や「走召つかれた」などの関係表現が抽出された場合、「年代」として20歳未満と特定する。また、「仕事で」、「飲みに」などの関係表現があれば20歳から30歳未満と特定する。
【００７４】
さらに、「親密度」の軸として、文書中に各種絵文字が多用されていれば「大」、「行く？」「だよね。」など砕けた表現が出現していれば「中」、「と思います。」「致します。」など改まった表現が記載されていれば「小」と、親密度の属性を特定する。
【００７５】
そして、関係表現辞書１０７に格納されている関係表現が、コンテンツおよびアプリケーション格納情報から抽出された場合、当該コンテンツおよびアプリケーション格納情報並びに、当該関係表現付近の固有表現などの文字列に対して、特定された属性が割り当てられる。
【００７６】
次に、図５のステップＳ５０９の関連度の算出手順について、図８を用いて説明する。
【００７７】
まず、関連度算出部１１８は、コンテンツから抽出された固有表現を評価対象ノードとして設定する（ステップＳ８０１）。これら、評価対象ノードとして設定する場合、コンテンツから抽出された固有表現、キーワードを全て評価対象ノードとして設定するほか、tf/idfなどの統計的処理を施して、重要と判断された固有表現のみを評価対象ノードとして設定しても良い。
【００７８】
そして、関連度算出部１１８は、アプリケーション格納情報に格納されている固有表現などをノードとし、設定された評価対象ノードと共に展開する（ステップＳ８０２）。
【００７９】
図９に示すように、展開されたノード及び評価対象ノードは、軸や評価対象ノードの分類毎に配置される。アプリケーション格納情報から取得したノードの例としては、地名を軸として「川崎」、「五反田」、「下北沢」、「横浜」、「日吉」などが配置される。携帯電話端末１００に格納されているアプリケーション（サービス）として、「バスナビ」、「ぐるめ探索」、「メール（メーラ）」、「トラベル(サイト）」、「電話帳（携帯ローカル）」が配置される。それらの隣接情報として近傍や周辺の語である「出発」、「店舗名」、「To:」、「From:」が配置される。
【００８０】
評価対象ノードとしては、また、評価の対象となるキーワードとしては「川崎」、「やまちゃん」、「佐藤」、「カレー」、「京浜東北」、「マジックハーブ」、「エクセレント」、「パスモード」、「ショップポート」などがあるものとする。
【００８１】
また、関連度算出部１１８は、関係表現や印象表現についてもノードとして展開する。例えば、関係表現として、「所属」を示す「社会人」、「学生」、「高校生」が展開され、「親密度」を示す「大」、「中」、「小」が展開される。さらに、印象表現として、「Positive」、「Negative」のほか、程度表現として「大」、「中」、「小」が展開される。
【００８２】
そして、関連度算出部１１８は、評価対象ノードに対して、関連付けるノード又は他の評価対象ノードが存在するか否か判断する（ステップＳ８０３）。関連付けるノードか否かの判断は、どのような基準でも良く、例えば、共起出現したか又は同一アプリケーション内で利用されたか等により判断される。
【００８３】
詳細な例としては、関連度算出部１１８は、展開されたノードと同一文字列がコンテンツ中に含まれていた場合に、当該ノードを、当該コンテンツから抽出された評価対象ノードと関連付ける。また、関連度算出部１１８は、評価対象ノードがメールの送信相手の場合に「To」と関連付ける。また、関連度算出部１１８は、同一のコンテンツから抽出された評価対象ノード間も関連付ける。このように、関連度算出部１１８は、図９で示したノード間を、コンテンツ及びアプリケーション格納情報に基づいて関連付ける。なお、関連付けられたノード間は、後述する処理により関連度が算出される。
【００８４】
また、関連度算出部１１８は、関連付けるノード又は他の評価対象ノードが存在しないと判断した場合（ステップＳ８０３：Ｎｏ）、特に処理を行わない。
【００８５】
一方、関連度算出部１１８は、評価対象ノードに対して、関連付けるノード又は他の評価対象ノードが存在すると判断した場合（ステップＳ８０３：Ｙｅｓ）、評価対象ノードと、当該関連付けるノード又は他の評価対象ノードとの間に重み付けを付与して、関連度を算出する（ステップＳ８０４）。
【００８６】
例えば、「やまちゃん」であれば「メール」の「From:」行と関連していると共に、メール内容で「ショップポート」ついて言及しており、その評価が「Positive」の「中」であることから、これらの間の関係を、他のノード間の関係より関連度が高くなるように重み付けを行う。
【００８７】
また、「佐藤」氏であれば、「メール」の「To:」行と関連が強いと共に、内容としては「マジックハーブ」や「パスモード」と関連しており、そのうち「マジックハーブ」に関しては「Positive」の「大」であると重み付けされている。
【００８８】
このように、本実施の形態においては、重み付けが高いか否かの基準として、印象表現が用いられる。つまり関係がPositiveであるか否かには嗜好表現が含まれているか否かで判断され、関係が大きいか否かには、いずれの割合表現が含まれているのかで判断される。次に、評価対象ノードの重み付け（関連度）を算出するための式について説明する。
【００８９】
【数１】
2009075733.tif 000003
【００９０】
式（１）に示すW(Ni、Ns)は、評価対象ノード(Ni)に対し、ある軸のノード(Ns)に対する重み付けの値を示している。変数nはこの評価ノードに張られているリンクの本数を示している。変数Rsは親密度や度合いを数値化した値である。例えば上述した割合表現の{大、中、小}に対応させて{10、5、1}が割り当てられているものとする。
【００９１】
変数piは、評価対象ノード種別ごとに設定しておくバイアス値とする。例えば事前に固有名詞や地名と判断されている評価対象ノードを、未知語として扱われているカタカナ語の羅列からなる評価対象ノードよりも重み付けておくことで、出力を得る際に、より確実な情報を提示することができる。
【００９２】
変数fiは、ある評価対象ノード(Ni)である語彙の出現頻度を示す。出現頻度が高いものは重要であるというヒューリスティクスに基づいている。
【００９３】
重み付け（関連度の算出）手段としては、上述した式に制限するものではなく、どのような手法を用いても良い。例えば、重み付けの付与条件に制約を設けて、上位3つの関係のみを明示するなどの絞込みを行っても良い。
【００９４】
図８に戻り、関連度算出部１１８は、全ての評価対象ノードに対して関連度の算出処理が終了したか否か判断する（ステップＳ８０５）。終了していないと判断した場合（ステップＳ８０５：Ｎｏ）、再びステップＳ８０３から処理を開始する。
【００９５】
一方、関連度算出部１１８が、関連度の算出処理が終了したと判断した場合（ステップＳ８０５：Ｙｅｓ）、処理を終了する。
【００９６】
上述した処理手順により、ノードや評価対象ノードと関連付けられた評価対象ノードが、関連度と共に関連付情報記憶部１０８に格納される。
【００９７】
次に、携帯電話端末１００において、関連付情報記憶部１０８に格納された情報を利用してメニューを表示する手順について、図１０を用いて説明する。
【００９８】
まず、利用者が携帯電話端末１００の任意のアプリケーションを使用しているものとする。そして、利用者が当該アプリケーションの使用を終了した場合に、メニュー生成部１２１は、当該アプリケーションで利用者が閲覧、作成した情報を取得する（ステップＳ１００１）。
【００９９】
次に、メニュー生成部１２１は、メニューを生成するために、関連付情報記憶部１０８に格納された情報を取得する（ステップＳ１００２）。
【０１００】
図１１に示すように、Ａさんが使用する携帯電話端末１００の場合、関連付情報記憶部１０８に格納されている固有表現などの文字列等を、関連付けられている文字列及び関連度と共に取得する。
【０１０１】
例えば、「地名、駅名」として取得した固有表現が「川崎」、「下北沢」、「日吉」となる。そして、各固有表現が出現した状況は、「川崎」が「メール」や「スケジューラ」の使用時であり、「下北沢」が「駅探」の使用時であり、「日吉」が「駅探」の使用時であることを示している。さらに、利用する頻度は、それぞれ“Ａ”〜“Ｅ”の段階評価で付与されている。また、Ａさんの携帯電話端末１００の例では、地名と関連するキーワードとして、「川崎」であれば、「やまちゃん」および「東西会社」と関連付けされていることが確認できる。なお、関連度の“Ａ”〜“Ｅ”は、上述した処理で算出された値を基準に５段階に分けたものとする。
【０１０２】
また、「スポットや店名、その他キーワード」として取得した固有表現は、「スーパー」、「西口」、「ショップポート」等となる。これらの固有表現についても同様に、それぞれの固有表現が使用されたアプリケーション名、頻度情報、関連度が付与されている。例えば、「ショップポート」では、「メール」利用時に、頻度は低く、印象は“Ｂ”、さらに「やまちゃん」との関連が強い（Ａ）ことが確認できる。
【０１０３】
また、メニュー生成部１２１は、交通手段や、人物の相関関係等の軸によってもそれぞれ対応する固有表現を抽出し、リストアップすることも可能とする。また、携帯電話端末１００では、抽出結果の見出しとして提供されていない軸に関しても、図５に示す処理手順で、関連付情報記憶部１０８にノードとリンク関係が格納されることで、当該関係の格納先の軸において、各属性の重み付けと関連語を収集することが可能となる。
【０１０４】
また、取得するリスト形式では、図１１に示すように可読性を高めて関連度や頻度を“Ａ”〜“Ｅ”の５段階で取得したが、後処理のことを考慮して関連度及び頻度を数値で取得しても良い。
【０１０５】
そして、メニュー生成部１２１は、ステップＳ１００１で利用者がアプリケーションで閲覧、作成した情報に含まれる固有表現等と高い関連性を示す固有表現などを、ステップＳ１００２で取得した情報に基づいて、関連性が高い順番に選択候補として提示するメニューを生成する（ステップＳ１００３）。
【０１０６】
そして、メニュー表示部１２２が、生成したメニューをディスプレイ（表示装置）に表示する（ステップＳ１００４）。その後、候補選択受付部１２４が、表示されたメニューから、利用者による選択候補の選択を受け付ける（ステップＳ１００５）。
【０１０７】
そして、更新・登録部１１９が、関連付情報記憶部１０８に格納されている情報のうち、ステップＳ１００１で利用者がアプリケーションで閲覧、作成した情報に含まれる固有表現等と、選択された選択候補が示す固有表現との関連性を示す関連度をより高い値に更新する（ステップＳ１００６）。
【０１０８】
上述した処理手順により、メニュー画面には、利用者と関連が高い選択候補が順に表示されることになる。さらに選択された選択候補に関する関連度を更新することで、関連付情報記憶部１０８に格納される情報について関連性の精度が向上する。
【０１０９】
次に、関連付情報記憶部１０８に格納されている情報の利用例について説明する。まずは、図１０で示した処理手順と同様の手順で提示される画面の遷移について、図１２を用いて説明する。
【０１１０】
まず、利用者が、携帯電話端末１００に搭載されているメール作成機能により、画面１２０１に示すように「やまちゃん」宛てにメールを作成したものとする。当該メールの送信を終了した後、携帯電話端末１００は、画面１２０２を表示しして、「関連リンク」表示するか否かを利用者に対して問いあわせる。
【０１１１】
そして、「関連リンク」表示の許可が得られた場合、メニュー生成部１２１は、メール作成機能から取得した情報から、固有表現及びキーワードとして、「川崎」、「五反田」、「バス」、「やまちゃん」、「（作成日時）」を抽出する。そして、メニュー生成部１２１は、関連付情報記憶部１０８から取得した情報を利用してメニュー画面を生成し、メニュー表示部１２２が、生成したメニュー画面１２０３を表示する。これらの表示順は頻度等に基づいて設定されるものとする。
【０１１２】
図１２に示したメニュー画面１２０３の例では、図１１の頻度情報とキーワード「バス」に基づき交通手段から「１．バスナビ」、メール本文に含まれている固有表現から「２．川崎」および「３．五反田」、「To：」行から「４．やまちゃん」の各サイト・キーワードが表示されたものとする。
【０１１３】
次に、各選択候補を選択した場合について説明する。「１．バスナビ」１２１１であれば、メニュー表示部１２２は、バスナビのサイトＵＲＬ情報に基づいて、当該サイトに移動する。その際に、外部サイト情報受渡部１２０が、当該サイトに対して、バスナビと関連度の高い地名を受け渡すことで、画面１２０４に示すように、関連度が高い地名順に選択候補が表示される。
【０１１４】
また、選択された選択候補が、「２．川崎」１２１２および「３．五反田」１２１３であれば、メニュー表示部１２２が、画面１２０５や画面１２０６のように、当該選択候補と関連度が高いアプリケーション（サービス）やキーワードを順に表示する。
【０１１５】
また、選択された選択候補が、「４．やまちゃん」１２１４であれば、メニュー表示部１２２は、メニュー画面１２０７において、さらに選択候補として「１．（やまちゃんの）メールをみる」「２．ショップポート」「３．横浜」を表示する。
【０１１６】
本実施の形態にかかる携帯電話端末１００では、こうした支援機能例により、利用者が移動中に作成したメールの送信と連動して、次の行動であるバスの待ち時間を調べたり、目的地の情報や、待ち合わせ相手への電話などをシームレスに行うことが可能となる。
【０１１７】
さらに、更新・登録部１１９により、これらの支援機能で利用者が選択した選択候補のキーワード又は固有表現において、新たな関連付けとして関連付情報記憶部１０８においてこれらキーワード又は固有表現について新たな関連付や、関連度の更新が行われることになる。
【０１１８】
また、本実施の形態にかかる携帯電話端末１００は、上述した処理手順以外の手順でメニュー画面が遷移することも考えられる。
【０１１９】
図１３に示す画面例１３０１は、キャリアやプロバイダの提供する携帯電話端末１００のトップメニュー画面や、利用者が作成したブックマークリンク集を想定した初期メニューとする。
【０１２０】
そして、利用者が、例えば「１．交通情報」を選択した場合、メニュー生成部１２１は、関連付情報記憶部１０８を参照し、各交通手段の利用頻度を参照すると共に、利用履歴として履歴に格納されている曜日や日付、時間帯と、現在の曜日や日付、時間帯を比較することで、類似した状況下で参照された交通手段の提供サイトが順に配置されたメニュー画面１３０２やメニュー画面１３０３を生成し、メニュー表示部１２２が、これらメニュー画面を表示する。
【０１２１】
また、利用者が、「２．飲食店」を選択した場合、同様に関連付情報記憶部１０８を参照し、飲食店の利用頻度等に基づいて提供サイトが順に配置されたメニュー画面１３０４を表示する。また、関連付情報記憶部１０８に格納されている情報は、サイトの表示順番を設定する以外に利用されることも考えられる。例えば、携帯電話端末１００に格納されている利用者の属性情報のうち、例えば性別・年齢などを情報提供者（外部サイト）に送信可能なものを設定しておく。そして、これら情報を、情報提供者（外部サイト）に送信することで、メニュー表示部１２２は、利用者と同じ属性を有する人々に人気のあるサイトや情報に対して、「HOT!」や「NEW!」などをマーキングして表示する。
【０１２２】
また、マーキング対象は必ずしも同一の属性を持つものと限定する必要はなく、例えば同世代で性別の異なるものを対象とした人気店や人気サイト、年代が異なる層の人気店などを表示してもよい。
【０１２３】
このように利用者に対して情報を提供することで、検索や選択する場合の操作性を向上させることができる。また、コンテンツ作成者側やサービス提供者側は、顧客ターゲットを絞って情報を提供することで顧客獲得のチャンスを得ることが可能となる。
【０１２４】
次に、本実施の形態にかかる携帯電話端末１００の、選択候補を含むメニュー画面の遷移の他の例について説明する。
【０１２５】
図１４に示すように、メニュー表示部１２２が表示する画面１４０１には、初期状態で利用者がキーワードを入力する検索フォームが含まれているものとする。
【０１２６】
そして、利用者が検索したいキーワードを入力して、検索ボタンを押下する。この場合、メニュー表示部１２２は、画面１４０２に示すように、予め定義されたタスクに基づいて、当該タスクを行うための選択候補を表示する。
【０１２７】
次に、利用者が、画面１４０２から、興味がある選択候補を選択した場合、メニュー生成部１２１は、関連付情報記憶部１０８を参照し、利用者に適したメニュー画面を作成する。例えば、利用者が、選択候補「行き方を調べる」を選択した場合、関連付情報記憶部１０８に格納されている地名、住所のうち、頻度が高い順にこれら地名、住所が配列されたメニュー画面１４０７を生成する。そして、メニュー表示部１２２が、生成されたメニュー画面１４０７を表示する。
【０１２８】
そして、メニュー画面１４０７に表示された選択候補から、所定の地名が選択された場合、外部サイト情報受渡部１２０が当該地名を移動先のサイトに受け渡すことで、通信処理部１０９が外部サイトから情報を受信し、表示部１２５が、当該サイトのＷｅｂページを表示する。移動先のサイトについては、どのようなサイトでも良く、画面１４０５に示す検索サイトでも良いし、画面１４０８に示す経路探索サイトでもよい。その後、表示部１２５が、移動先のサイトに応じて、画面１４０９等を表示する。
【０１２９】
一方、利用者が、画面１４０２から、選択候補「クーポンを探す」を選択した場合、メニュー生成部１２１が、関連付情報記憶部１０８を参照し、“ショッピングモールＡ”と関連度が高い順に店舗ジャンルが配列されたメニュー画面１４０３を生成する。そしてメニュー表示部１２２が、生成されたメニュー画面１４０３を表示する。
【０１３０】
そして、利用者が、当該メニュー画面１４０３から、所望の選択項目を選択することで、外部サイト情報受渡部１２０は、最初に入力された“ショッピングモールＡ”の他、選択された選択項目に対応するキーワードを自動的に追加して、検索エンジンに受け渡す。これにより画面１４０６が表示される。その後、検索結果として画面１４０４が表示される。
【０１３１】
また、利用者がメニュー画面１４０３の選択項目から、所望の選択候補を選択した場合、選択候補に対応したサイトに接続し、当該サイトの画面１４０４を表示しても良い。
【０１３２】
本実施の形態にかかる携帯電話端末１００においては、関連付ける固有表現の抽出対象を利用者が参照したコンテンツ及びアプリケーション格納情報に制限したが、これらに限らず、利用者に関連する文書データであればよい。
【０１３３】
上述した携帯電話端末１００においては、メニュー画面において、利用者の関心が高いと考えられる選択候補から順に表示することで、利用者が所望する選択候補に辿り着くまでに行う操作が軽減されるため、操作性を向上させることが可能となる。
【０１３４】
また、当該携帯電話端末１００に格納される関連付情報記憶部１０８は、利用者の操作に応じて更新、登録が行われるため、携帯電話端末１００のキャリア又はサービス提供者が予め関連付けして情報を格納する必要が無くなり、作業負担を軽減させることが可能となる。
【０１３５】
また、携帯電話端末１００のキャリア又はサービス提供者が予め関連付けした情報を利用者に対して提示する場合、特定のキーワードに対していわゆる過学習に相当するような詳細な選択候補が提示されることになり、これら選択候補から適切な選択候補に絞り込むための作業負担が生じていた。本実施の形態にかかる携帯電話端末１００においては、メニュー画面を生成する際に、利用者が参照したコンテンツ、及び既に選択された選択候補に応じて、絞り込まれた選択候補を提示することができるので、閲覧性を向上させると共に、利用者の操作負担を軽減することができる。
【０１３６】
また、本実施の形態にかかる携帯電話端末１００においては、メニュー画面に含まれる選択候補を表示するための情報を関連付情報記憶部１０８に格納している。つまり、情報提供者ではなく利用者側で情報を管理することで、異なるアプリケーション又はサイトで使用される情報を横断的に使用することができるため、情報の有効活用が可能になると共に、利用者に対して適切な選択候補をメニュー画面で表示することができる。
【０１３７】
さらに、コンテンツ作成者側やサービス提供者側からは、携帯電話端末１００等の画面の表示領域及び入力デバイスに制限があるため、利用者毎に異なる多様な属性に応じた情報を適切に提供することができなかったが、関連付情報記憶部１０８に格納された情報を利用して情報を提供することが可能となった。これにより、顧客獲得のチャンスを増加させることが可能となる。
【０１３８】
また、利用者は、携帯電話端末１００のメーラやスケジューラに対して、地名や組織名、人名等の固有名詞等を入力した場合、これらの情報が関連付情報記憶部１０８に格納されるため、別アプリケーションやメニュー画面を表示する際にこれら情報が利用されるため、これら情報の入力又は検索する必要が無くなり、操作負担を軽減させることが可能となる。
【０１３９】
上述したように、本実施の形態にかかる携帯電話端末１００では、利用者の検索の操作にかかる負荷を減少させるとともに、利用者が所望する情報に容易に到達することが可能となる。
【０１４０】
さらに、本実施の形態にかかる携帯電話端末１００においては、利用者が参照したコンテンツおよびアプリケーション格納情報から、固有表現、キーワードの抽出等を行って抽出した固有表現間の関連度を算出して、関連付情報記憶部１０８に格納することで、高精度且つ低コストで、利用者の情報検索に供する辞書の作成が可能となる。さらに、利用者又はコンテンツ提供者等が、事前の準備や登録を行うことなく、アプリケーションやサービス利用時の入力支援や検索支援を実現できる。さらに、コンテンツ作成者側は、携帯電話端末１００に格納された関連付情報記憶部１０８を利用して、利用者毎にカスタマイズされた情報を提供することが可能となる。
【０１４１】
図１５に示すように、実施の形態の携帯電話端末１００は、ハードウェア構成として、上述した処理を行う候補表示プログラムなどが格納されているＲＯＭ５２と、ＲＯＭ５２内のプログラムに従って携帯電話端末１００の各部を制御するＣＰＵ５１と、データの格納領域となるＲＡＭ５３と、ネットワークに接続して通信を行う通信Ｉ／Ｆ５７と、入力デバイス５９と、表示装置５８と、各部を接続するバス６２とを備えている。
【０１４２】
候補表示プログラムは、インストール可能な形式又は実行可能な形式のファイルでＣＤ−ＲＯＭ、フロッピー（登録商標）ディスク（ＦＤ）、ＤＶＤ等のコンピュータで読み取り可能な記録媒体に記録されて提供されてもよい。
【０１４３】
この場合には、候補表示プログラムは、携帯電話端末１００において上記記録媒体から読み出して実行することによりＲＡＭ５３上にロードされ、上記ソフトウェア構成で説明した各部がＲＡＭ５３上に生成されるようになっている。
【０１４４】
また、上述した実施の形態の候補表示プログラムを、インターネット等のネットワークに接続されたコンピュータ上に格納し、ネットワーク経由でダウンロードさせることにより提供するように構成してもよい。
【０１４５】
以上、本発明を実施の形態を用いて説明したが、上記実施の形態に多様な変更または改良を加えることができる。
【図面の簡単な説明】
【０１４６】
【図１】実施の形態にかかる携帯電話端末の機能構成を示すブロック図である。
【図２】印象表現辞書に格納されている印象表現の例を示した概念図である。
【図３】関係表現辞書に格納されている関係表現の例を示した概念図である。
【図４】メール入力履歴に対して形態素解析を行った結果の例を示した概念図である。
【図５】携帯電話端末における、表示したコンテンツに関する情報を関連付情報記憶部に格納するまでの手順を示したフローチャートである。
【図６】印象表現抽出部における、印象表現を抽出して固有表現と関連付けるまでの手順を示したフローチャートである。
【図７】関係表現抽出部における、関係表現を抽出して固有表現に属性として割り当てるまでの手順を示したフローチャートである。
【図８】関連度算出部における、固有表現毎に他の固有表現又はキーワードとの間の関連度を算出する手順を示したフローチャートである。
【図９】関連付ける固有表現などを評価対象ノードとして展開した概念を示した図である。
【図１０】携帯電話端末における、メニュー画面の表示から選択候補の選択の受付までの手順を示した説明図である。
【図１１】関連付情報記憶部から抽出した情報の例を示した図である。
【図１２】携帯電話端末における、画面遷移の第１の例を示した図である。
【図１３】携帯電話端末における、画面遷移の第２の例を示した図である。
【図１４】携帯電話端末における、画面遷移の第３の例を示した図である。
【図１５】携帯電話端末におけるハードウェア構成を示した図である。
【符号の説明】
【０１４７】
５１  ＣＰＵ
５２  ＲＯＭ
５３  ＲＡＭ
５７  通信Ｉ／Ｆ
５８  表示装置
５９  入力デバイス
６２  バス
１００  携帯電話端末
１０１  電話帳登録情報記憶部
１０２  文字列入力履歴記憶部
１０３  お気に入りＵＲＬ記憶部
１０４  ＧＰＳエリア情報記憶部
１０５  固有表現抽出ルール記憶部
１０６  印象表現辞書
１０７  関係表現辞書
１０８  関連付情報記憶部
１０９  通信処理部
１１０  コンテンツ入力部
１１１  コンテンツ表示部
１１２  時刻計測部
１１３  アプリケーション格納情報取得部
１１４  形態素解析部
１１５  固有表現抽出部
１１６  印象表現抽出部
１１７  関係表現抽出部
１１８  関連度算出部
１１９  更新・登録部
１２０  外部サイト情報受渡部
１２１  メニュー生成部
１２２  メニュー表示部
１２３  ユーザ入力受付部
１２４  候補選択受付部
１２５  表示部
【図１】
2009075733.tif 000004
【図２】
2009075733.tif 000005
【図３】
2009075733.tif 000006
【図４】
2009075733.tif 000007
【図５】
2009075733.tif 000008
【図６】
2009075733.tif 000009
【図７】
2009075733.tif 000010
【図８】
2009075733.tif 000011
【図９】
2009075733.tif 000012
【図１０】
2009075733.tif 000013
【図１１】
2009075733.tif 000014
【図１２】
2009075733.tif 000015
【図１３】
2009075733.tif 000016
【図１４】
2009075733.tif 000017
【図１５】
2009075733.tif 000018